(57)【要約】【課題】システムの少なくとも一方が伝送不良になった場合にも、システムを追加することなく受信品質を保証し、無線システム全体が受信信号断状態になるのを回避する。【解決手段】本発明の無線システムは、各々が送信機と受信機との組からなり、互いに異なる周波数を使用して、伝送信号を無線により伝送する２つのシステムと、送信モード切替器と、受信モード切替器と、を有する。２つのシステムのうち一方のシステムが先に伝送不良になった場合、一方のシステムの受信機は、周波数を他方のシステムの周波数に変更し、送信モード切替器は、伝送信号を他方のシステムの送信機にのみに出力し、受信モード切替器は、２つのシステムの各々の受信機にて他方のシステムの周波数を使用して受信された伝送信号のうち、受信品質レベルが高い方の伝送信号を出力する。【選択図】図１
2010288067.tif 000002
【特許請求の範囲】
【請求項１】
各々が送信機と受信機との組からなり、互いに異なる周波数を使用して、伝送信号を無線により伝送する２つのシステムと、
前記２つのシステムの双方が正常である場合、第１の送信モードに遷移し、伝送信号を前記２つのシステムの各々の送信機に分配して出力する送信モード切替器と、
前記２つのシステムの双方が正常である場合、第１の受信モードに遷移し、前記２つのシステムの各々の受信機にて受信された伝送信号を積み上げて出力する受信モード切替器と、を有し、
前記２つのシステムのうち一方のシステムが先に伝送不良になった場合、
前記一方のシステムの受信機は、
周波数を他方のシステムの周波数に変更し、
前記送信モード切替器は、
第２の送信モードに遷移し、伝送信号を前記他方のシステムの送信機にのみに出力し、
前記受信モード切替器は、
第２の受信モードに遷移し、前記２つのシステムの各々の受信機にて前記他方のシステムの周波数を使用して受信された伝送信号のうち、受信品質レベルが高い方の伝送信号を出力する、無線システム。
【請求項２】
前記一方のシステムが伝送不良になった後、前記他方のシステムが伝送不良になったか否かにかかわらず、所定条件が満たされるまでの間、
前記一方のシステムの受信機は、
周波数を前記他方のシステムの周波数のままとし、
前記送信モード切替器は、
前記第２の送信モードのままとし、
前記受信モード切替器は、
前記第２の受信モードのままとする、請求項１に記載の無線システム。
【請求項３】
前記所定条件は、前記２つのシステムの双方が正常である状態が一定時間継続したことであり、
前記所定条件が満たされた場合、
前記一方のシステムの受信機は、
周波数を前記一方のシステムの周波数に戻し、
前記送信モード切替器は、
前記第１の送信モードに戻り、
前記受信モード切替器は、
前記第１の受信モードに戻る、請求項２に記載の無線システム。
【請求項４】
前記伝送不良は、前記受信機により、当該受信機にて受信された伝送信号について計算された波形歪み量が閾値以下になることであり、
前記所定条件は、前記一方のシステムの受信機により、周波数を前記一方のシステムの周波数に一時的に戻して再計算された波形歪み量が閾値を超えたことであり、
前記所定条件が満たされた場合、
前記一方のシステムの受信機は、
周波数を前記一方のシステムの周波数に戻し、
前記送信モード切替器は、
前記第１の送信モードに戻り、
前記受信モード切替器は、
前記第１の受信モードに戻る、請求項２に記載の無線システム。
【請求項５】
前記受信モード切替器は、
前記２つのシステムの各々に対応して設けられた２つのヒットレス切替器と、
リンクアグリゲーション回路と、を有し、
前記第１の受信モードでは、
前記２つのヒットレス切替器の各々は、
対応するシステムの受信機と接続し、接続した受信機にて受信された伝送信号を出力し、
前記リンクアグリゲーション回路は、
前記２つのヒットレス切替器と接続し、接続した２つのヒットレス切替器の各々から出力された伝送信号を積み上げて出力し、
前記第２の受信モードでは、
前記他方のシステムに対応するヒットレス切替器は、
前記２つのシステムの受信機と接続し、接続した２つのシステムの受信機の各々にて受信された伝送信号のうち、受信品質レベルが高い方の伝送信号を出力し、
前記リンクアグリゲーション回路は、
前記他方のシステムに対応するヒットレス切替器と接続し、接続したヒットレス切替器から出力された伝送信号を出力する、請求項１から４のいずれか１項に記載の無線システム。
【請求項６】
２つのシステムにそれぞれ属し、互いに異なる周波数を使用して、伝送信号を無線で受信する２つの受信機と、
前記２つのシステムの双方が正常である場合、第１の受信モードに遷移し、前記２つのシステムの各々の受信機にて受信された伝送信号を積み上げて出力する受信モード切替器と、を有し、
前記２つのシステムのうち一方のシステムが先に伝送不良になった場合、
前記一方のシステムの受信機は、
周波数を他方のシステムの周波数に変更し、
前記受信モード切替器は、
第２の受信モードに遷移し、前記２つのシステムの各々の受信機にて前記他方のシステムの周波数を使用して受信された伝送信号のうち、受信品質レベルが高い方の伝送信号を出力する、伝送装置。
【請求項７】
前記一方のシステムが伝送不良になった後、前記他方のシステムが伝送不良になったか否かにかかわらず、所定条件が満たされるまでの間、
前記一方のシステムの受信機は、
周波数を前記他方のシステムの周波数のままとし、
前記受信モード切替器は、
前記第２の受信モードのままとする、請求項６に記載の伝送装置。
【請求項８】
前記所定条件は、前記２つのシステムの双方が正常である状態が一定時間継続したことであり、
前記所定条件が満たされた場合、
前記一方のシステムの受信機は、
周波数を前記一方のシステムの周波数に戻し、
前記受信モード切替器は、
前記第１の受信モードに戻る、請求項７に記載の伝送装置。
【請求項９】
前記伝送不良は、前記受信機により、当該受信機にて受信された伝送信号について計算された波形歪み量が閾値以下になることであり、
前記所定条件は、前記一方のシステムの受信機により、周波数を前記一方のシステムの周波数に一時的に戻して再計算された波形歪み量が閾値を超えたことであり、
前記所定条件が満たされた場合、
前記一方のシステムの受信機は、
周波数を前記一方のシステムの周波数に戻し、
前記受信モード切替器は、
前記第１の受信モードに戻る、請求項７に記載の伝送装置。
【請求項１０】
前記受信モード切替器は、
前記２つのシステムの各々に対応して設けられた２つのヒットレス切替器と、
リンクアグリゲーション回路と、を有し、
前記第１の受信モードでは、
前記２つのヒットレス切替器の各々は、
対応するシステムの受信機と接続し、接続した受信機にて受信された伝送信号を出力し、
前記リンクアグリゲーション回路は、
前記２つのヒットレス切替器と接続し、接続した２つのヒットレス切替器の各々から出力された伝送信号を積み上げて出力し、
前記第２の受信モードでは、
前記他方のシステムに対応するヒットレス切替器は、
前記２つのシステムの受信機と接続し、接続した２つのシステムの受信機の各々にて受信された伝送信号のうち、受信品質レベルが高い方の伝送信号を出力し、
前記リンクアグリゲーション回路は、
前記他方のシステムに対応するヒットレス切替器と接続し、接続したヒットレス切替器から出力された伝送信号を出力する、請求項６から９のいずれか１項に記載の伝送装置。
【請求項１１】
２つのシステムにそれぞれ属し、互いに異なる周波数を使用して、伝送信号を無線で受信する２つの受信機を有してなる伝送装置による受信方法であって、
前記２つのシステムの双方が正常である場合、
受信モード切替器が、第１の受信モードに遷移し、前記２つのシステムの各々の受信機にて受信された伝送信号を積み上げて出力するステップを有し、
前記２つのシステムのうち一方のシステムが先に伝送不良になった場合、
前記一方のシステムの受信機が、周波数を他方のシステムの周波数に変更するステップと、
前記受信モード切替器が、第２の受信モードに遷移し、前記２つのシステムの各々の受信機にて前記他方のシステムの周波数を使用して受信された伝送信号のうち、受信品質レベルが高い方の伝送信号を出力するステップと、を有する受信方法。
【請求項１２】
前記一方のシステムが伝送不良になった後、前記他方のシステムが伝送不良になったか否かにかかわらず、所定条件が満たされるまでの間、
前記一方のシステムの受信機が、周波数を前記他方のシステムの周波数のままとするステップと、
前記受信モード切替器が、前記第２の受信モードのままとするステップと、を有する請求項１１に記載の受信方法。
【請求項１３】
前記所定条件は、前記２つのシステムの双方が正常である状態が一定時間継続したことであり、
前記所定条件が満たされた場合、
前記一方のシステムの受信機が、周波数を前記一方のシステムの周波数に戻すステップと、
前記受信モード切替器が、前記第１の受信モードに戻るステップと、を有する請求項１２に記載の受信方法。
【請求項１４】
前記伝送不良は、前記受信機により、当該受信機にて受信された伝送信号について計算された波形歪み量が閾値以下になることであり、
前記所定条件は、前記一方のシステムの受信機により、周波数を前記一方のシステムの周波数に一時的に戻して再計算された波形歪み量が閾値を超えたことであり、
前記所定条件が満たされた場合、
前記一方のシステムの受信機が、周波数を前記一方のシステムの周波数に戻すステップと、
前記受信モード切替器が、前記第１の受信モードに戻るステップと、を有する請求項１２に記載の受信方法。
【請求項１５】
２つのシステムにそれぞれ属し、互いに異なる周波数を使用して、伝送信号を無線で受信する２つの受信機を有してなる伝送装置に、
前記２つのシステムの双方が正常である場合、
第１の受信モードに遷移し、前記２つのシステムの各々の受信機にて受信された伝送信号を積み上げて出力する手順を実行させ、
前記２つのシステムのうち一方のシステムが先に伝送不良になった場合、
前記一方のシステムの受信機の周波数を他方のシステムの周波数に変更する手順と、
第２の受信モードに遷移し、前記２つのシステムの各々の受信機にて前記他方のシステムの周波数を使用して受信された伝送信号のうち、受信品質レベルが高い方の伝送信号を出力する手順と、を実行させるプログラム。
【発明の詳細な説明】
【技術分野】
【０００１】
本発明は、無線システム、伝送装置、受信方法、プログラムに関する。
【背景技術】
【０００２】
近年、イーサネット（登録商標）の高速化が進んでいる。これに伴い、イーサネットで伝送されるイーサネット信号を無線により伝送する無線システムにおいても、無線伝送の高速化を図る必要性が高まっている。
【０００３】
無線伝送を高速化する方法の１つに、ＩＥＥＥ（Institute of Electrical and Electronics Engineers）８０２．３ａｄで規定されているリンクアグリゲーション（Link Aggregation）と呼ばれる技術を利用する方法がある。リンクアグリゲーションは、複数の回線を束ねて、仮想的に１つ回線として扱う技術である。
【０００４】
以下、リンクアグリゲーション技術を利用する無線システムについて、図９を参照して説明する（例えば、特許文献１参照）。ここでは、各々が送信機と受信機との組からなり、互いに異なる周波数（ｆ１，ｆ２）を使用して、イーサネット信号を無線により伝送する２系統のシステム（＃１，＃２）を設けた無線システムについて説明する。
【０００５】
図９に示した無線システムは、イーサネット信号を無線により伝送する伝送装置１００Ａ，１００Ｂを有している。
【０００６】
伝送装置１００Ａは、送信機（＃１，＃２）１２１−１，１２１−２と、リンクアグリゲーション（ＴＸ：Transmit）回路１２２と、を有している。
【０００７】
伝送装置１００Ｂは、受信機（＃１，＃２）１３１−１，１３１−２と、リンクアグリゲーション（ＲＸ：Receive）回路１３２と、を有している。
【０００８】
なお、図９においては、伝送装置１００Ａについては、送信側の構成のみを示し、また、伝送装置１００Ｂについては、受信側の構成のみを示している。
【０００９】
また、送信機（＃１，＃２）１２１−１，１２１−２および受信機（＃１，＃２）１３１−１，１３１−２の個々の伝送容量は、１５０Ｍｂｐｓであるとする。
【００１０】
伝送装置１００Ａでは、リンクアグリゲーション（ＴＸ）回路１２２は、入力端子に入力されたイーサネット信号（パケット）を、順次、送信機（＃１）１２１−１と送信機（＃２）１２１−２とに分配して出力していく。
【００１１】
送信機（＃１）１２１−１は、自機に分配されたイーサネット信号を、周波数ｆ１を使用して、無線により受信機（＃１）１３１−１に送信する。また、送信機（＃２）１２１−２は、自機に分配されたイーサネット信号を、周波数ｆ２を使用して、無線により受信機（＃２）１３１−２に送信する。
【００１２】
一方、伝送装置１００Ｂでは、受信機（＃１）１３１−１は、周波数ｆ１を使用して、送信機（＃１）１２１−１Ａ−１から無線により送信されてきたイーサネット信号を受信し出力する。また、受信機（＃２）１３１−２は、周波数ｆ２を使用して、送信機（＃２）１２１−２から無線により送信されてきたイーサネット信号を受信し出力する。
【００１３】
リンクアグリゲーション（ＲＸ）回路１３２は、受信機（＃１，＃２）１３１−１，１３１−２から出力されたイーサネット信号を積み上げて元のイーサネット信号に復元し、出力端子から出力する。
【００１４】
したがって、図９に示した無線システムにおいては、送信機（＃１，＃２）１２１−１，１２１−２の個々の伝送容量（１５０Ｍｂｐｓ）の２倍の伝送容量（３００Ｍｂｐｓ）に相当するスループット伝送を実現することができる。
【先行技術文献】
【特許文献】
【００１５】
【特許文献１】特開２００５−２６０９０４号公報
【発明の概要】
【発明が解決しようとする課題】
【００１６】
しかしながら、図９に示した無線システムには、以下のような課題がある。
【００１７】
図１０に示すように、システム（＃１，＃２）の双方が伝送不良になったとする。ここでは、伝送不良とは、受信品質レベルが閾値以下になって、受信信号を受信できない受信信号断状態になったことを指すものとする。この場合、無線システム全体として受信信号断状態になってしまう。
【００１８】
また、システム（＃１，＃２）の一方が伝送不良になった場合には、他方のシステムのみで無線伝送を継続することになるため、受信品質の低下が懸念される。
【００１９】
したがって、受信品質を保証し、無線システム全体が受信信号断状態になるのを回避するには、システムをもう１系統追加しなければならないという問題がある。
【００２０】
そこで、本発明の目的は、上述の課題を解決し、システムの少なくとも一方が伝送不良になった場合にも、システムを追加することなく受信品質を保証し、無線システム全体が受信信号断状態になるのを回避することができる無線システム、伝送装置、受信方法、プログラムを提供することにある。
【課題を解決するための手段】
【００２１】
本発明の無線システムは、
各々が送信機と受信機との組からなり、互いに異なる周波数を使用して、伝送信号を無線により伝送する２つのシステムと、
前記２つのシステムの双方が正常である場合、第１の送信モードに遷移し、伝送信号を前記２つのシステムの各々の送信機に分配して出力する送信モード切替器と、
前記２つのシステムの双方が正常である場合、第１の受信モードに遷移し、前記２つのシステムの各々の受信機にて受信された伝送信号を積み上げて出力する受信モード切替器と、を有し、
前記２つのシステムのうち一方のシステムが先に伝送不良になった場合、
前記一方のシステムの受信機は、
周波数を他方のシステムの周波数に変更し、
前記送信モード切替器は、
第２の送信モードに遷移し、伝送信号を前記他方のシステムの送信機にのみに出力し、
前記受信モード切替器は、
第２の受信モードに遷移し、前記２つのシステムの各々の受信機にて前記他方のシステムの周波数を使用して受信された伝送信号のうち、受信品質レベルが高い方の伝送信号を出力する。
【００２２】
本発明の伝送装置は、
２つのシステムにそれぞれ属し、互いに異なる周波数を使用して、伝送信号を無線で受信する２つの受信機と、
前記２つのシステムの双方が正常である場合、第１の受信モードに遷移し、前記２つのシステムの各々の受信機にて受信された伝送信号を積み上げて出力する受信モード切替器と、を有し、
前記２つのシステムのうち一方のシステムが先に伝送不良になった場合、
前記一方のシステムの受信機は、
周波数を他方のシステムの周波数に変更し、
前記受信モード切替器は、
第２の受信モードに遷移し、前記２つのシステムの各々の受信機にて前記他方のシステムの周波数を使用して受信された伝送信号のうち、受信品質レベルが高い方の伝送信号を出力する。
【００２３】
本発明の受信方法は、
２つのシステムにそれぞれ属し、互いに異なる周波数を使用して、伝送信号を無線で受信する２つの受信機と、前記２つのシステムの双方が正常である場合、第１の受信モードに遷移し、前記２つのシステムの各々の受信機にて受信された伝送信号を積み上げて出力する受信モード切替器と、を有してなる伝送装置による受信方法であって、
前記２つのシステムのうち一方のシステムが先に伝送不良になった場合、
前記一方のシステムの受信機が、周波数を他方のシステムの周波数に変更するステップと、
前記受信モード切替器が、第２の受信モードに遷移し、前記２つのシステムの各々の受信機にて前記他方のシステムの周波数を使用して受信された伝送信号のうち、受信品質レベルが高い方の伝送信号を出力するステップと、を有する。
【００２４】
本発明のプログラムは、
２つのシステムにそれぞれ属し、互いに異なる周波数を使用して、伝送信号を無線で受信する２つの受信機と、前記２つのシステムの双方が正常である場合、第１の受信モードに遷移し、前記２つのシステムの各々の受信機にて受信された伝送信号を積み上げて出力する受信モード切替器と、を有してなる伝送装置に、
前記２つのシステムのうち一方のシステムが先に伝送不良になった場合、
前記一方のシステムの受信機が、周波数を他方のシステムの周波数に変更する手順と、
前記受信モード切替器が、第２の受信モードに遷移し、前記２つのシステムの各々の受信機にて前記他方のシステムの周波数を使用して受信された伝送信号のうち、受信品質レベルが高い方の伝送信号を出力する手順と、を実行させる。
【発明の効果】
【００２５】
本発明によれば、２つのシステムの双方が正常である場合、送信側では、伝送信号を２つの送信機に分配して出力し、受信側では、２つの受信機から出力された伝送信号を積み上げて出力する。
【００２６】
したがって、送信機の個々の伝送容量の２倍の伝送容量に相当するスループット伝送を実現することができるという効果が得られる。
【００２７】
また、一方のシステムが先に伝送不良になった場合、送信側では、伝送信号を他方のシステムの送信機にのみ出力し、受信側では、一方のシステムの受信機の周波数を他方のシステムの周波数に変更し、２つの受信機の各々にて他方のシステムの周波数を使用して受信された伝送信号のうち、受信品質レベルが高い方の伝送信号を出力する。
【００２８】
したがって、無線システムをスペースダイバーシティ（ＳＤ：Space Diversity）モードで動作させるのと同様になるため、受信品質は向上する。
【００２９】
よって、２つのシステムの少なくとも一方が伝送不良になった場合にも、システムを追加することなく受信品質を保証することができるため、無線システム全体が受信信号断状態になるのを回避することができるという効果が得られる。
【図面の簡単な説明】
【００３０】
【図１】本発明の一実施形態の無線システムの構成の一例を示すブロック図である。
【図２Ａ】図１に示した送信モード切替器の構成の一例を示すブロック図である。
【図２Ｂ】図２Ａに示した送信モード切替器における、リンクアグリゲーション（ＴＸ）モード時の動作の一例を説明する図である。
【図２Ｃ】図２Ａに示した送信モード切替器における、システム（＃１）固定モード時の動作の一例を説明する図である。
【図２Ｄ】図２Ａに示した送信モード切替器における、システム（＃２）固定モード時の動作の一例を説明する図である。
【図３Ａ】図１に示した受信モード切替器の構成の一例を示すブロック図である。
【図３Ｂ】図２Ａに示した受信モード切替器における、リンクアグリゲーション（ＲＸ）モード時の動作の一例を説明する図である。
【図３Ｃ】図２Ａに示した受信モード切替器における、ヒットレス切替モード時の動作の一例を説明する図である。
【図３Ｄ】図２Ａに示した受信モード切替器における、ヒットレス切替モード時の動作の他の例を説明する図である。
【図４】図１に示した無線システムにおける、システム（＃１，＃２）の双方が正常である場合の動作の一例を説明する図である。
【図５】図１に示した無線システムにおける、システム（＃２）が先に伝送不良になった場合の動作の一例を説明する図である。
【図６】図１に示した無線システムにおける、システム（＃１）が先に伝送不良になった場合の動作の一例を説明する図である。
【図７】図１に示した無線システムにおける、ＳＤモードから復帰する場合の動作の一例を説明する図である。
【図８】図１に示した無線システムの伝送状況の一例を説明する図である。
【図９】関連する無線システムの構成の一例を示すブロック図である。
【図１０】図９に示した無線システムの伝送状況の一例を説明する図である。
【発明を実施するための形態】
【００３１】
以下に、本発明を実施するための形態について図面を参照して説明する。
【００３２】
なお、以下の実施形態では、各々が送信機と受信機との組からなり、互いに異なる周波数（ｆ１，ｆ２）を使用して、イーサネット信号を無線により伝送する２系統（＃１，＃２）のシステムを設けた無線システムに対し、本発明を適用した例について説明する。
【００３３】
（１）無線システムの構成
（１−１）無線システムの全体構成
まず、本実施形態の無線システムの全体構成について、図１を参照して説明する。
【００３４】
図１に示すように、本実施形態の無線システムは、伝送信号であるイーサネット信号を無線により伝送する伝送装置１０Ａ，１０Ｂを有している。
【００３５】
伝送装置１０Ａは、送信機（＃１，＃２）２１−１Ａ，２１−２Ａと、送信モード切替器２２Ａと、を有している。
【００３６】
伝送装置１０Ｂは、受信機（＃１，＃２）３１−１Ｂ，３１−２Ｂと、受信モード切替器３２Ｂと、を有している。
【００３７】
なお、図１においては、伝送装置１０Ａについては、送信側の構成のみを示し、また、伝送装置１０Ｂについては、受信側の構成のみを示しているが、後述するように、伝送装置１０Ａの受信側には、伝送装置１０Ｂの受信側と同様の構成要素が設けられ、また、伝送装置１０Ｂの送信側には、伝送装置１０Ａの送信側と同様の構成要素が設けられているものとする。
【００３８】
また、送信機（＃１，＃２）２１−１Ａ，２１−２Ａおよび受信機（＃１，＃２）３１−１Ｂ，３１−２Ｂの個々の伝送容量は、１５０Ｍｂｐｓであるとする。
【００３９】
また、送信機（＃１）２１−１Ａおよび受信機（＃１）３１−１Ｂは、周波数ｆ１を使用して無線伝送を行い、また、送信機（＃２）２１−２Ａおよび受信機（＃２）３１−２Ｂは、周波数ｆ２を使用して無線伝送を行うものとする。
【００４０】
ただし、本実施形態では、システム（＃１，＃２）の伝送不良の状況に応じて、受信機（＃１，＃２）３１−１Ｂ，３１−２Ｂは周波数を変更可能である。
【００４１】
また、システム（＃１，＃２）の伝送不良の状況に応じて、送信モード切替器２２Ａは送信モードが切り替わり、また、受信モード切替器３２Ｂは受信モードが切り替わる。
【００４２】
なお、システム（＃１，＃２）が伝送不良であるか否かを判断する方法としては、伝送状況や機器の故障状況を利用して判断する方法がある。
【００４３】
伝送状況を利用する方法としては、例えば、受信機にて受信された無線信号のＲＳＬ（Received Signal Level：受信信号レベル）、ＢＥＲ（Bit Error Rate：ビット誤り率）、または波形歪み量に応じて受信品質レベルを定義し、受信品質レベルが閾値以下である場合に、伝送不良と判断する方法がある。この場合、伝送不良の判断は、受信機にて行うことができる。なお、ＲＳＬやＢＥＲの測定方法や、波形歪み量の計算方法は、特に限定はなく、公知の方法を使用することができる。
【００４４】
また、機器の故障状況を利用する方法としては、例えば、システムを構成する機器が故障によりアラームを報知した場合に、伝送不良と判断する方法がある。この場合、伝送不良の判断は、故障した機器以外の各々の機器にてアラームを検知することにより行うことができる。
【００４５】
本実施形態では、送信側の送信モードとして、以下の（Ａ）〜（Ｃ）がある。
【００４６】
（Ａ）リンクアグリゲーション（ＴＸ）モード（第１の送信モード）
送信モード切替器２２Ａは、システム（＃１，＃２）の双方が正常（伝送不良が発生していない状況。以下、同じ）である場合に、本モードに遷移する。
【００４７】
本モードでは、送信モード切替器２２Ａは、入力端子を送信機（＃１）２１−１Ａおよび送信機（＃２）２１−２Ａの双方に接続し、入力端子に入力されたイーサネット信号（パケット）を、順次、送信機（＃１）２１−１Ａと送信機（＃２）２１−２Ａとに分配して出力していく。
【００４８】
（Ｂ）システム（＃１）固定モード（第２の送信モード）
送信モード切替器２２Ａは、システム（＃２）がシステム（＃１）よりも先に伝送不良になった場合に（システム（＃２）のみが伝送不良になった場合と、システム（＃２）に続いてシステム（＃１）も伝送不良になった場合と、を含む。以下、同じ）、本モードに遷移する。
【００４９】
本モードでは、送信モード切替器２２Ａは、入力端子を送信機（＃１）２１−１Ａにのみ接続し、入力端子に入力されたイーサネット信号（パケット）を、送信機（＃１）２１−１Ａに出力していく。
【００５０】
（Ｃ）システム（＃２）固定モード（第２の送信モード）
送信モード切替器２２Ａは、システム（＃１）がシステム（＃２）よりも先に伝送不良になった場合に（システム（＃１）のみが伝送不良になった場合と、システム（＃１）に続いてシステム（＃２）も伝送不良になった場合と、を含む。以下、同じ）、本モードに遷移する。
【００５１】
本モードでは、送信モード切替器２２Ａは、入力端子を送信機（＃２）２１−２Ａにのみ接続し、入力端子に入力されたイーサネット信号（パケット）を、送信機（＃２）２１−２Ａに出力していく。
【００５２】
一方、受信側の受信モードとして、以下の（ａ）、（ｂ）がある。
【００５３】
（ａ）リンクアグリゲーション（ＲＸ）モード（第１の受信モード）
受信モード切替器３２Ｂは、システム（＃１，＃２）の双方が正常である場合に、本モードに遷移する。
【００５４】
本モードでは、受信モード切替器３２Ｂは、出力端子を受信機（＃１）３１−１Ｂおよび受信機（＃２）３１−２Ｂの双方に接続し、受信機（＃１，＃２）３１−１Ｂ，３１−２Ｂから出力されたイーサネット信号を積み上げて元のイーサネット信号に復元し、出力端子から出力する。
【００５５】
したがって、本モードでは、送信機（＃１，＃２）２１−１Ａ，２１−２Ａの個々の伝送容量（１５０Ｍｂｐｓ）の２倍の伝送容量（３００Ｍｂｐｓ）に相当するスループット伝送を実現することができる。
【００５６】
（ｂ）ヒットレス切替モード（第２の受信モード）
受信モード切替器３２Ｂは、システム（＃１，＃２）の少なくとも一方が伝送不良である場合に、本モードに遷移する。この場合、システム（＃１，＃２）のうち先に伝送不良になったシステムの受信機は、周波数を他方のシステムの周波数に変更している。
【００５７】
本モードでは、例えば、システム（＃２）が先に伝送不良になった場合、受信モード切替器３２Ｂは、出力端子を受信機（＃１）３１−１Ｂおよび受信機（＃２）３１−２Ｂの双方に接続する。
【００５８】
このとき、受信機（＃１，＃２）３１−１Ｂ，３１−２Ｂの双方が、周波数ｆ１を使用して、送信機（＃１）２１−１Ａから無線により送信されてきたイーサネット信号を受信している。
【００５９】
そのため、受信モード切替器３２Ｂは、受信機（＃１，＃２）３１−１Ｂ，３１−２Ｂのうち、受信品質レベル（ＲＳＬ、ＢＥＲ、または波形歪み量に応じたレベル）が高い方の受信機から出力されたイーサネット信号を選択して、出力端子から出力する。
【００６０】
一方、システム（＃１）が先に伝送不良になった場合、受信モード切替器３２Ｂは、出力端子を受信機（＃１）３１−１Ｂおよび受信機（＃２）３１−２Ｂの双方に接続する。
【００６１】
このとき、受信機（＃１，＃２）３１−１Ｂ，３１−２Ｂの双方が、周波数ｆ２を使用して、送信機（＃２）２１−２Ａから無線により送信されてきたイーサネット信号を受信している。
【００６２】
そのため、受信モード切替器３２Ｂは、受信機（＃１，＃２）３１−１Ｂ，３１−２Ｂのうち、受信品質レベルが高い方の受信機から出力されたイーサネット信号を選択して、出力端子から出力する。
【００６３】
したがって、本モードでは、無線システムをスペースダイバーシティ（ＳＤ：Space Diversity）モードで動作させるのと同様になるため、受信品質は向上する。
【００６４】
よって、システムの少なくとも一方が伝送不良になった場合にも、システムを追加することなく受信品質を保証することができるため、無線システム全体が受信信号断状態になるのを回避することができる。
【００６５】
（１−２）送信モード切替器２２Ａの構成
次に、送信モード切替器２２Ａの構成について、図２Ａ〜図２Ｄを参照して説明する。
【００６６】
図２Ａに示すように、送信モード切替器２２Ａは、リンクアグリゲーション（ＴＸ）回路（図中“Ｌｉｎｋ  ＡＧＲ（ＴＸ）”と表記）２３Ａを有している。
【００６７】
図２Ｂに示すように、上記（Ａ）のリンクアグリゲーション（ＴＸ）モードでは、リンクアグリゲーション（ＴＸ）回路２３Ａは、入力端子を送信機（＃１）２１−１Ａおよび送信機（＃２）２１−２Ａの双方に接続し、入力端子に入力されたイーサネット信号（パケット）を、順次、送信機（＃１）２１−１Ａと送信機（＃２）２１−２Ａとに分配して出力していく。
【００６８】
図２Ｃに示すように、上記（Ｂ）のシステム（＃１）固定モードでは、リンクアグリゲーション（ＴＸ）回路２３Ａは、入力端子を送信機（＃１）２１−１Ａにのみ接続し、入力端子に入力されたイーサネット信号（パケット）を、送信機（＃１）２１−１Ａに出力していく。
【００６９】
図２Ｄに示すように、上記（Ｃ）のシステム（＃２）固定モードでは、リンクアグリゲーション（ＴＸ）回路２３Ａは、入力端子を送信機（＃２）２１−２Ａにのみ接続し、入力端子に入力されたイーサネット信号（パケット）を、送信機（＃２）２１−２Ａに出力していく。
【００７０】
（１−３）受信モード切替器３２Ｂの構成
次に、受信モード切替器３２Ｂの構成について、図３Ａ〜図３Ｄを参照して説明する。
【００７１】
図３Ａに示すように、受信モード切替器３２Ｂは、ヒットレス切替器（図中“ＨＬ  ＳＷ”と表記）（＃１，＃２）３３−１Ｂ，３３−２Ｂと、リンクアグリゲーション（ＲＸ）回路（図中“Ｌｉｎｋ  ＡＧＲ（ＲＸ）”と表記）３４Ｂと、を有している。
【００７２】
図３Ｂに示すように、上記（ａ）のリンクアグリゲーション（ＲＸ）モードでは、リンクアグリゲーション（ＲＸ）回路３４Ｂは、出力端子をヒットレス切替器（＃１）３３−１Ｂおよびヒットレス切替器（＃２）３３−２Ｂの双方に接続し、受信機（＃１，＃２）３１−１Ｂ，３１−２Ｂから出力されたイーサネット信号を積み上げて元のイーサネット信号に復元し、出力端子から出力する。
【００７３】
図３Ｃに示すように、上記（ｂ）のヒットレス切替モードにおいて、システム（＃２）が先に伝送不良になっていた場合には、リンクアグリゲーション（ＲＸ）回路３４Ｂは、出力端子をヒットレス切替器（＃１）３３−１Ｂにのみ接続し、ヒットレス切替器（＃１）３３−１Ｂは、受信機（＃１）３１−１Ｂおよび受信機（＃２）３１−２Ｂの双方に接続する。そして、ヒットレス切替器（＃１）３３−１Ｂは、受信機（＃１，＃２）３１−１Ｂ，３１−２Ｂのうち、受信品質レベルが高い方の受信機から出力されたイーサネット信号を選択し、リンクアグリゲーション（ＲＸ）回路３４Ｂは、ヒットレス切替器（＃１）３３−１Ｂにて選択されたイーサネット信号を出力端子から出力する。
【００７４】
図３Ｄに示すように、上記（ｂ）のヒットレス切替モードにおいて、システム（＃１）が先に伝送不良になっていた場合には、リンクアグリゲーション（ＲＸ）回路３４Ｂは、出力端子をヒットレス切替器（＃２）３３−２Ｂにのみ接続し、ヒットレス切替器（＃２）３３−２Ｂは、受信機（＃１）３１−１Ｂおよび受信機（＃２）３１−２Ｂの双方に接続する。そして、ヒットレス切替器（＃２）３３−２Ｂは、受信機（＃１，＃２）３１−１Ｂ，３１−２Ｂのうち、受信品質レベルが高い方の受信機から出力されたイーサネット信号を選択し、リンクアグリゲーション（ＲＸ）回路３４Ｂは、ヒットレス切替器（＃２）３３−２Ｂにて選択されたイーサネット信号を出力端子から出力する。
【００７５】
（２）無線システムの動作
以下、本実施形態の無線システムの動作について、図４〜図７を参照して説明する。
【００７６】
なお、図４〜図７においては、図１には図示していない伝送装置１０Ａの受信側および伝送装置１０Ｂの送信側の構成要素も図示している。
【００７７】
具体的には、伝送装置１０Ａの受信側には、伝送装置１０Ｂの受信側と同様に、受信機（＃１’，＃２’）３１−１’Ａ，３１−２’Ａと、ヒットレス切替器（＃１’，＃２’）３３−１’Ａ，３３−２’Ａおよびリンクアグリゲーション（ＲＸ）回路３４Ａからなる受信モード切替器３２Ａと、が設けられている。
【００７８】
また、伝送装置１０Ｂの送信側には、伝送装置１０Ａの送信側と同様に、送信機（＃１’，＃２’）２１−１’Ｂ，２１−２’Ｂと、リンクアグリゲーション（ＴＸ）回路２３Ｂからなる送信モード切替器２２Ｂと、が設けられている。
【００７９】
（２−１）システム（＃１，＃２）の双方が正常である場合の動作
まず、システム（＃１，＃２）の双方が正常である場合の動作について、図４を参照して説明する。
【００８０】
この場合、伝送装置１０Ａでは、送信モード切替器２２Ａは、上記（Ａ）のリンクアグリゲーション（ＴＸ）モードに遷移する。
【００８１】
すなわち、リンクアグリゲーション（ＴＸ）回路２３Ａは、入力端子を送信機（＃１）２１−１Ａおよび送信機（＃２）２１−２Ａの双方に接続し（ステップＳ１１）、入力端子に入力されたイーサネット信号（パケット）を、順次、送信機（＃１）２１−１Ａと送信機（＃２）２１−２Ａとに分配して出力していく（ステップＳ１２）。
【００８２】
一方、伝送装置１０Ｂでは、受信機（＃１）３１−１Ｂの周波数はｆ１のままで、受信機（＃２）３１−２Ｂの周波数はｆ２のままとなる（ステップＳ１３）。
【００８３】
また、受信モード切替器３２Ｂは、上記（ａ）のリンクアグリゲーション（ＲＸ）モードに遷移する。
【００８４】
すなわち、リンクアグリゲーション（ＲＸ）回路３４Ｂは、出力端子をヒットレス切替器（＃１）３３−１Ｂおよびヒットレス切替器（＃２）３３−２Ｂの双方に接続し（ステップＳ１４）、受信機（＃１，＃２）３１−１Ｂ，３１−２Ｂから出力されたイーサネット信号を積み上げて元のイーサネット信号に復元し、出力端子から出力する（ステップＳ１５）。
【００８５】
（２−２）システム（＃２）が先に伝送不良になった場合の動作
次に、システム（＃２）が先に伝送不良になった場合の動作について、図５を参照して説明する。ここでは、受信機（＃２）３１−２Ｂが、システム（＃２）の伝送状況を基に伝送不良を検出するものとして説明する。
【００８６】
システム（＃２）が先に伝送不良になった場合（ステップＳ２１）、受信機（＃２）３１−２Ｂがこれを検出し、周波数をｆ２からｆ１に切り替える（ステップＳ２２）。
【００８７】
また、受信モード切替器３２Ｂは、上記（ｂ）のヒットレス切替モードに遷移する。
【００８８】
すなわち、リンクアグリゲーション（ＲＸ）回路３４Ｂは、出力端子をヒットレス切替器（＃１）３３−１Ｂにのみ接続し、ヒットレス切替器（＃１）３３−１Ｂは、受信機（＃１）３１−１Ｂおよび受信機（＃２）３１−２Ｂの双方に接続する（ステップＳ２３）。また、リンクアグリゲーション（ＲＸ）回路３４Ｂは、受信機（＃１）３１−１Ｂに対し、システム（＃１）の伝送不良を検出しても周波数をｆ１のまま継続するよう指示する。
【００８９】
また、リンクアグリゲーション（ＲＸ）回路３４Ｂは、システム（＃２）が伝送不良になったことを示す情報をＤＳＣ（Digital Service Channel）信号に変換し、ＤＳＣを介して送信機（＃１’）２１−１’Ｂに転送する（ステップＳ２４）。
【００９０】
そして、送信機（＃１’）２１−１’Ｂは、ＤＳＣ信号を、周波数ｆ１’を使用して、無線により伝送装置１０Ａの受信機（＃１’）３１−１’Ａに送信し（ステップＳ２５）、受信機（＃１’）３１−１’Ａは、ＤＳＣ信号を、ＤＳＣを介して送信モード切替器２２Ａに転送する（ステップＳ２６）。
【００９１】
送信モード切替器２２Ａは、ＤＳＣ信号を受けて、上記（Ｂ）のシステム（＃１）固定モードに遷移する。
【００９２】
すなわち、リンクアグリゲーション（ＴＸ）回路２３Ａは、入力端子を送信機（＃１）２１−１Ａにのみ接続し（ステップＳ２７）、入力端子に入力されたイーサネット信号（パケット）を、送信機（＃１）２１−１Ａに出力していく（ステップＳ２８）。
【００９３】
以降、ヒットレス切替器（＃１）３３−１Ｂは、受信機（＃１，＃２）３１−１Ｂ，３１−２Ｂのうち、受信品質レベルが高い方の受信機から出力されたイーサネット信号を選択し、リンクアグリゲーション（ＲＸ）回路３４Ｂは、ヒットレス切替器（＃１）３３−１Ｂにて選択されたイーサネット信号を出力端子から出力する（ステップＳ２９）。
【００９４】
したがって、無線システムは、ＳＤモードに移行することになる。この状態は、以降に、システム（＃１）が伝送不良になったか否かにかかわらず、後述する正常モード（送信側および受信側の双方がリンクアグリゲーションモード。以下、同じ）へ復帰するための条件が満たされるまで継続される。
【００９５】
（２−３）システム（＃１）が先に伝送不良になった場合の動作
次に、システム（＃１）が先に伝送不良になった場合の動作について、図６を参照して説明する。ここでは、受信機（＃１）３１−１Ｂが、システム（＃１）の伝送状況を基に伝送不良を検出するものとして説明する。
【００９６】
システム（＃１）が先に伝送不良になった場合（ステップＳ３１）、受信機（＃１）３１−１Ｂがこれを検出し、周波数をｆ１からｆ２に切り替える（ステップＳ３２）。
【００９７】
また、受信モード切替器３２Ｂは、上記（ｂ）のヒットレス切替モードに遷移する。
【００９８】
すなわち、リンクアグリゲーション（ＲＸ）回路３４Ｂは、出力端子をヒットレス切替器（＃２）３３−２Ｂにのみ接続し、ヒットレス切替器（＃２）３３−２Ｂは、受信機（＃１）３１−１Ｂおよび受信機（＃２）３１−２Ｂの双方に接続する（ステップＳ３３）。また、リンクアグリゲーション（ＲＸ）回路３４Ｂは、受信機（＃２）３１−２Ｂに対し、システム（＃２）の伝送不良を検出しても周波数をｆ２のまま継続するよう指示する。
【００９９】
また、リンクアグリゲーション（ＲＸ）回路３４Ｂは、システム（＃１）が伝送不良になったことを示す情報をＤＳＣ信号に変換し、ＤＳＣを介して送信機（＃２’）２１−２’Ｂに転送する（ステップＳ３４）。
【０１００】
そして、送信機（＃２’）２１−２’Ｂは、ＤＳＣ信号を、周波数ｆ２’を使用して、無線により伝送装置１０Ａの受信機（＃２’）３１−２’Ａに送信し（ステップＳ３５）、受信機（＃２’）３１−２’Ａは、ＤＳＣ信号を、ＤＳＣを介して送信モード切替器２２Ａに転送する（ステップＳ３６）。
【０１０１】
送信モード切替器２２Ａは、ＤＳＣ信号を受けて、上記（Ｂ）のシステム（＃２）固定モードに遷移する。
【０１０２】
すなわち、リンクアグリゲーション（ＴＸ）回路２３Ａは、入力端子を送信機（＃２）２１−２Ａにのみ接続し（ステップＳ３７）、入力端子に入力されたイーサネット信号（パケット）を、送信機（＃２）２１−２Ａに出力していく（ステップＳ３８）。
【０１０３】
以降、ヒットレス切替器（＃２）３３−２Ｂは、受信機（＃１，＃２）３１−１Ｂ，３１−２Ｂのうち、受信品質レベルが高い方の受信機から出力されたイーサネット信号を選択し、リンクアグリゲーション（ＲＸ）回路３４Ｂは、ヒットレス切替器（＃２）３３−２Ｂにて選択されたイーサネット信号を出力端子から出力する（ステップＳ３９）。
【０１０４】
したがって、無線システムは、ＳＤモードで動作を行うことになる。この状態は、以降に、システム（＃２）が伝送不良になったか否かにかかわらず、後述する正常モードへ復帰するための条件が満たされるまで継続される。
【０１０５】
（２−４）ＳＤモードから復帰する場合の動作
次に、ＳＤモードから復帰する場合の動作について、図７を参照して説明する。ここでは、上記（２−２）において、システム（＃２）の伝送状況に基づく伝送不良の検出を契機に移行したＳＤモード（図５の下段）から復帰する場合の動作について説明する。
【０１０６】
システム（＃１，＃２）の双方が正常な状態が一定時間（例えば、５分間）継続した場合（ステップＳ４１）、リンクアグリゲーション（ＲＸ）回路３４Ｂが、受信機（＃１）３１−１Ｂおよび受信機（＃２）３１−２Ｂを介してこれを検出する。そして、リンクアグリゲーション（ＲＸ）回路３４Ｂは、受信機（＃１）３１−１Ｂに対し、周波数ｆ１の継続指示を解除し、また、受信機（＃２）３１−２Ｂに対し、周波数をｆ１からｆ２に戻すよう指示する（ステップＳ４２）。
【０１０７】
また、受信モード切替器３２Ｂは、上記（ａ）のリンクアグリゲーション（ＲＸ）モードに戻る。
【０１０８】
すなわち、リンクアグリゲーション（ＲＸ）回路３４Ｂは、出力端子をヒットレス切替器（＃１）３３−１Ｂおよびヒットレス切替器（＃２）３３−２Ｂの双方に接続する（ステップＳ４３）。
【０１０９】
また、リンクアグリゲーション（ＲＸ）回路３４Ｂは、システム（＃１，＃２）の双方が正常な状態になったことを示す情報をＤＳＣ信号に変換し、ＤＳＣを介して送信機（＃１’）２１−１’Ｂに転送する（ステップＳ４４）。
【０１１０】
そして、送信機（＃１’）２１−１’Ｂは、ＤＳＣ信号を、周波数ｆ１’を使用して、無線により伝送装置１０Ａの受信機（＃１’）３１−１’Ａに送信し（ステップＳ４５）、受信機（＃１’）３１−１’Ａは、ＤＳＣ信号を、ＤＳＣを介して送信モード切替器２２Ａに転送する（ステップＳ４６）。
【０１１１】
送信モード切替器２２Ａは、ＤＳＣ信号を受けて、上記（Ａ）のリンクアグリゲーション（ＴＸ）モードに戻る。
【０１１２】
すなわち、リンクアグリゲーション（ＴＸ）回路２３Ａは、入力端子を送信機（＃１）２１−１Ａおよび送信機（＃２）２１−２Ａの双方に接続し（ステップＳ４７）、入力端子に入力されたイーサネット信号（パケット）を、順次、送信機（＃１）２１−１Ａと送信機（＃２）２１−２Ａとに分配して出力していく（ステップＳ４８）。
【０１１３】
以降、リンクアグリゲーション（ＲＸ）回路３４Ｂは、受信機（＃１，＃２）３１−１Ｂ，３１−２Ｂから出力されたイーサネット信号を積み上げて元のイーサネット信号に復元し、出力端子から出力する（ステップＳ４９）。
【０１１４】
したがって、無線システムは、正常モードに移行することになる。
【０１１５】
なお、上記（２−３）のＳＤモード（図６の下段）から復帰する場合の動作は、略同様であるため、説明を省略する。
【０１１６】
上述したように本実施形態では、システム（＃１，＃２）の双方が正常である場合、通信装置１０Ａの送信側では、イーサネット信号を送信機（＃１）２１−１Ａと送信機（＃２）２１−２Ａとに分配して出力し、通信装置１０Ｂの受信側では、受信機（＃１，＃２）３１−１Ｂ，３１−２Ｂから出力されたイーサネット信号を積み上げて出力する。
【０１１７】
したがって、この場合は、図８に示すように、送信機（＃１，＃２）２１−１Ａ，２１−２Ａの個々の伝送容量（１５０Ｍｂｐｓ）の２倍の伝送容量（３００Ｍｂｐｓ）に相当するスループット伝送を実現することができる。
【０１１８】
一方、システム（＃１，＃２）の少なくとも一方が伝送不良である場合、例えば、システム（＃２）が先に伝送不良になっていれば、通信装置１０Ａの送信側では、イーサネット信号を送信機（＃１）２１−１Ａにのみ出力し、通信装置１０Ｂの受信側では、受信機（＃１）の周波数をｆ１からｆ２に変更し、受信機（＃１，＃２）３１−１Ｂ，３１−２Ｂのうち受信品質レベルが高い方から出力されたイーサネット信号を選択して出力する。
【０１１９】
したがって、この場合は、図８に示すように、無線システムをＳＤモードで動作させるのと同様になるため、受信品質は向上する。
【０１２０】
よって、システム（＃１，＃２）の少なくとも一方が伝送不良になった場合にも、システムを追加することなく受信品質を保証することができるため、無線システム全体が受信信号断状態になるのを回避することができる。
【０１２１】
なお、本実施形態では、ＳＤモードから復帰する条件を、システム（＃１，＃２）の双方が正常な状態が一定時間継続したこととしたが、本発明はこれに限定されない。
【０１２２】
例えば、波形歪み量が閾値以下になった（すなわち伝送不良になった）ことを契機にＳＤモードに移行した場合には、以降に、波形歪み量が閾値を超えたことを条件に、ＳＤモードから復帰することとしてもよい。
【０１２３】
この場合、システム（＃２）が先に伝送不良になっていれば、受信機（＃２）３１−２Ｂが、周波数をｆ１に変更してから一定時間経過後に、周波数をｆ２に一時的に戻して波形歪み量を再計算し、再計算した波形歪み量が閾値を超えていれば、ＳＤモードから復帰すればよい。なお、再計算した波形歪み量がなお閾値以下であれば、受信機（＃２）３１−２Ｂは、周波数をｆ１のままとし、ＳＤモードを継続することになる。
【０１２４】
また、本実施形態では、送信機（＃１）２１−１Ａ、送信機（＃２）２１−２Ａ、および送信モード切替器２２Ａが、同一の伝送装置１０Ａに設けられているものとして説明したが、本発明はこれに限定されず、別個独立した装置に設けられていてもよい。
【０１２５】
同様に、受信機（＃１）３１−１Ｂ、受信機（＃２）３１−２Ｂ、および受信モード切替器３２Ｂが、同一の伝送装置１０Ｂに設けられているものとして説明したが、本発明はこれに限定されず、別個独立した装置に設けられていてもよい。
【０１２６】
また、本実施形態では、２系統のシステム（＃１，＃２）が設けられているものとして説明したが、本発明はこれに限定されず、システムの数は複数であればよい。
【０１２７】
この場合、ＳＤモード時の周波数は、伝送不良になったシステム以外のシステムの周波数の中から任意の周波数を選択すればよい。この場合の周波数の選択方法としては、各システムの優先順位を予め決めておき、伝送不良になったシステム以外のシステムの中から最も優先順位が高いシステムの周波数を選択する方法等が考えられる。
【０１２８】
また、本発明の伝送装置１０Ａ，１０Ｂにて行われる方法は、コンピュータに実行させるためのプログラムに適用してもよい。また、そのプログラムを記憶媒体に格納することも可能であり、ネットワークを介して外部に提供することも可能である。
【符号の説明】
【０１２９】
１０Ａ，１０Ｂ    伝送装置
２１−１Ａ，２１−２Ａ，２１−１’Ｂ，２１−２’Ｂ    送信機
２２Ａ，２２Ｂ    送信モード切替器
２３Ａ，２３Ｂ    リンクアグリゲーション（ＴＸ）回路
３１−１Ｂ，３１−２Ｂ，３１−１’Ａ，３１−２’Ａ    受信機
３２Ｂ，３２Ａ    受信モード切替器
３３−１Ｂ，３３−２Ｂ，３３−１’Ａ，３３−２’Ａ    ヒットレス切替器
３４Ｂ，３４Ａ    リンクアグリゲーション（ＲＸ）回路
【図１】
2010288067.tif 000003
【図２Ａ】
2010288067.tif 000004
【図２Ｂ】
2010288067.tif 000005
【図２Ｃ】
2010288067.tif 000006
【図２Ｄ】
2010288067.tif 000007
【図３Ａ】
2010288067.tif 000008
【図３Ｂ】
2010288067.tif 000009
【図３Ｃ】
2010288067.tif 000010
【図３Ｄ】
2010288067.tif 000011
【図４】
2010288067.tif 000012
【図５】
2010288067.tif 000013
【図６】
2010288067.tif 000014
【図７】
2010288067.tif 000015
【図８】
2010288067.tif 000016
【図９】
2010288067.tif 000017
【図１０】
2010288067.tif 000018